(57)【特許請求の範囲】
【請求項１】
一半体と他半体との対向端部同士を連結部を介して開閉自在に連結してなる携帯電話等の物品において、上記一半体と他半体との連結部に該連結部を直交する方向である内外方向に貫通した貫通孔を形成すると共に、この貫通孔の内側開口部を跨いだ状態でその一端部を上記一半体の内面に、他端部を上記他半体の内面にそれぞれ固着し、且つ、一半体と他半体とを閉じた際にその中央部が連結部から離間する方向に内方に向かって山折れ状に弛緩する一方、一半体と他半体とを開放した際にその中央部が上記連結部の貫通孔の内側開口端部に当接する帯状体を配設し、さらに、上記貫通孔の外側開口部からこの貫通孔に、一定長さを有する短軸体の先端に小形板状の指係止片を固着してなる指係止部材の該短軸体を挿通して貫通孔の内側開口部から突出させた短軸体の基端部を上記帯状体の中央部に固着し、上記一半体と他半部とを開放させた時に貫通孔から外側に突出する短軸体の指係止片とこの指係止片に対向する連結部との間に指が挿入、係止可能な隙間を形成するように構成していることを特徴とする携帯電話等の物品における開閉部の構造。
【発明の詳細な説明】
【０００１】
【発明の属する技術分野】
本発明は、携帯電話等の物品を安定的に且つ確実に支持することができる携帯電話等の物品における開閉部の構造に関する。
【０００２】
【従来の技術】
今日、通信手段として携帯電話が広く普及している。そして、携帯電話の内面に配列されたボタンを押して、電話番号を入力して電話をかけたり或いは電子メールに打つ文章を作成して電子メールを送信している。
【０００３】
上記携帯電話の内面に配設されたボタンを押すに際しては、上記携帯電話を掌上に載置し親指を除いた四本の指で外面側から安定的に包持して、親指で上記携帯電話の内面のボタンを押している。
【０００４】
しかしながら、上記携帯電話のボタンは、その大きさが非常に小さいものであることから、親指を除いた四本の指で携帯電話を包持し、これら四本の指を固定させた状態で親指を上下左右方向に細かく移動させるのは困難を伴い、特に、お年寄りにとっては顕著であった。
【０００５】
そこで、一方の手で携帯電話を支持しつつ他方の手の指で携帯電話のボタンを押すことも考えられるが、携帯電話は外出先で使用するのが殆どである一方、外出先では一方の手に鞄等を持っていることが多く、一方の手だけで安定的に支持しつつ円滑に操作できる携帯電話が所望されていた。
【０００６】
又、女性が口紅や頬紅を収納した収納ケースから口紅や頬紅を刷毛に所定量だけ付着させて化粧する際にも、上記化粧ケースを安定的に支持して化粧を円滑に行いたいという要望があり、更に、本、メモ帳を使用する際にも、本やメモ帳を安定的に支持して読書やメモ書きをしたいといった要望があった。
【０００７】
【発明が解決しようとする課題】
本発明は、携帯電話、口紅や頬紅等を収納した収納ケース、本、メモ帳等の物品を安定的に且つ確実に支持することができる携帯電話等の物品における開閉部の構造を提供する。
【０００８】
【課題を解決するための手段】
請求項１に記載の携帯電話等の物品における開閉部の構造は、一半体と他半体との対向端部同士を連結部を介して開閉自在に連結してなる携帯電話等の物品において、上記一半体と他半体との連結部に該連結部を直交する方向である内外方向に貫通した貫通孔を形成すると共に、この貫通孔の内側開口部を跨いだ状態でその一端部を上記一半体の内面に、他端部を上記他半体の内面にそれぞれ固着し、且つ、一半体と他半体とを閉じた際にその中央部が連結部から離間する方向に内方に向かって山折れ状に弛緩する一方、一半体と他半体とを開放した際にその中央部が上記連結部の貫通孔の内側開口端部に当接する帯状体を配設し、さらに、上記貫通孔の外側開口部からこの貫通孔に、一定長さを有する短軸体の先端に小形板状の指係止片を固着してなる指係止部材の該短軸体を挿通して貫通孔の内側開口部から突出させた短軸体の基端部を上記帯状体の中央部に固着し、上記一半体と他半部とを開放させた時に貫通孔から外側に突出する短軸体の指係止片とこの指係止片に対向する連結部との間に指が挿入、係止可能な隙間を形成するように構成していることを特徴とする。
【０００９】
【作用】
本発明の携帯電話等の物品における開閉部の構造によれば、使用にあたり、携帯電話等の物品における一半体と他半体とを互いに開放させると、指係止部材が連結部の長さ方向に対して直交する方向に移動して、指係止部材の指係止片と連結部との間に指が挿入、係止可能な隙間が形成され、この隙間に指を挿入、係止させることによって携帯電話等の物品を安定的に且つ確実に支持することができる。
【００１０】
そして、携帯電話等の物品を使用し終わって、物品における一半体と他半体とを互いに閉じた状態とすると、指係止部材は、該指係止部材の指係止片と連結部との間に形成された隙間を縮小させる方向に移動してコンパクトな状態に収納される。
【００１１】
このように、携帯電話等の物品における開閉部の構造によれば、物品の一半体と他半体とを互いに開閉させることによって、指係止部材の指係止片と連結部との間に指が挿入、係止可能な隙間を形成し、或いは、その隙間を縮小する方向に指係止部材を円滑に且つ確実に移動させることができる。
【００１２】
【発明の実施の形態】
本発明の携帯電話等の物品における開閉部の構造の一例を図面を参照しつつ説明する。先ず、物品が携帯電話である場合における開閉部の構造について説明する。
【００１３】
携帯電話Ａは、図１に示したように、内面に縦長長方形状の画面11が配設された縦長長方形状の一半体１と、内面に複数個のボタン21が配設された縦長長方形状の他半体２との対向端部同士を円柱状の連結部３を介して開閉自在に連結してなり、一半体１は携帯電話Ａの蓋体、他半体２は携帯電話Ａの本体を構成している。
【００１４】
そして、上記携帯電話Ａは、図２に示したように、その一半体１と他半体２とをそれらの画面11及びボタン21を内面側にした状態にして上記連結部３を中心に互いにその内面を腹合せ状に二つ折りすることができる一方、図１に示したように、その一半体１と他半体２とを上記連結部３を中心にして互いに展開する方向に変位させて開放状態とすることができる。
【００１５】
そして、上記携帯電話Ａの連結部３は、一半体１と他半体２との対向端の両側部に円環状の軸受部3a、3bを夫々突設し、これらの軸受部3a、3bを同一中心線上に重ね合わせた状態にして、軸3cを挿嵌、固定してなる構造を有し、軸受部3a、3bを設けていない一半体１と他半体２との対向端中央部に内外方向に貫通した貫通孔31を形成している。そして、この貫通孔31には指係止部材４が内外方向に、即ち、連結部３に対して直交する方向に移動可能に配設されている。
【００１６】
詳細には、上記指係止部材４は、上記連結部３の内外方向の厚み（軸受部3a、3bの外径）よりも長い長さを有する一定長さの短軸体41と、この短軸体41の先端に固着された平面円形板状の指係止片42とからなる。
【００１７】
そして、上記指係止部材４は、その短軸体41が上記連結部３の貫通孔31内にその外側開口部から挿入されて、短軸体41がその長さ方向（内外方向）に移動可能に且つ指係止片42が連結部３の外周面から外方に突出した状態に上記連結部３の貫通孔31に配設されている。
【００１８】
更に、上記携帯電話Ａの一半体１と他半体２との内面には、一定長さを有する帯状体５が、その一端部を一半体１の他端部内面の中央部に固着すると共に、他端部を他半部２の一端部内面の中央部に固着することによって、その中央部を上記連結部３の貫通孔31の内側開口部に跨がせた状態に配設され、更に、上記帯状体５における上記連結部３の貫通孔31の内側開口部に対向する中央部には、上記貫通孔31内に挿通させて該貫通孔31の内側開口部から突出させた指係止部材４の短軸体41の基端部が固着されている。
【００１９】
上記携帯電話Ａをその一半体１と他半体２とをそれらの連結部３を中心にして互いに展開する方向に回動させて開放した状態とすると、上記帯状体５は、上記携帯電話Ａの連結部３を跨いで携帯電話Ａの長さ方向に拡張した状態となって、上記指係止部材４の短軸体41の基端を固着させた中央部分が、上記連結部３の貫通孔31の内側開口端面に当接した状態となる。
【００２０】
この状態では、図３に示したように、上記指係止部材４は、その短軸体41が上記帯状体５によって外方に向かって押し出されて、短軸体41の大部分が貫通孔31の外側開口部から外方に突出した状態となっており、この外方に突出した短軸体４の先端に一体的に設けられた指係止片42とこれに対向する連結部３の外周面との間には指を挿入、係止可能な隙間６が形成されるように構成されている。
【００２１】
一方、上記携帯電話Ａをその一半体１と他半体２とをそれらの連結部３を中心にして互いに近接させて二つ折りした閉じた状態とすると、上記帯状体５は、上記指係止部材４の短軸体41の基端部を固着させた中央部分が連結部３から離間する方向に内方に向かって山折れ状に弛緩した状態となる。
【００２２】
この状態では、図２及び図４に示したように、上記指係止部材４の短軸体41が貫通孔31を通じて内方に向かって引き寄せられて、その大部分が山折れ状となった帯状体５内に収納されたされた状態となり、短軸体41の先端の指係止片42が連結部３の外周面に当接或いは近接した状態となって上記隙間６が消失した状態となるように構成されている。
【００２３】
次に、上記携帯電話Ａの使用要領について説明する。先ず、携帯電話Ａをその一半体１と他半体２とを互いに重ね合わせて二つ折り状態に閉じた状態（図２参照）から、その一半体１と他半体２とを上記連結部３を中心にして互いに展開する方向に回動させて開放した状態とする（図１参照）。
【００２４】
すると、上記帯状体５は、一半体１と他半体２との展開に連動して、その中央部から内方に向かって山折れした状態から長さ方向に展開、拡張し、指係止部材４の短軸体41を固着させている中央部が連結部３の貫通孔31の内側開口端部に当接すると共に、上記指係止部材４の短軸体41を貫通孔31を通じて外方に向かって押し出して、上記貫通孔31の外側開口部から突出した短軸体41の指係止片42とこれに対向する連結部３との間には指を挿入、係止可能な隙間６が形成される。
【００２５】
しかる後、上記隙間６内に、図３に示したように、例えば、人指し指F1と中指F2とを上記指係止部材４の短軸体41を挟んだ状態に上下方向から挿入し、人指し指F1と中指F2とで上記指係止部材４の短軸体41を挟持すると共に、人指し指F1と中指F2とを指係止部材４の指係止片42に係止させることによって携帯電話Ａを安定的に且つ確実に支持することができる。このように、人指し指F1と中指F2とで安定的に携帯電話Ａを支持した状態で、自由な状態の薬指や小指を必要に応じて動かしながら、親指F3でもって他半体２のボタン21を操作して電子メールの文章を軽快に且つ確実に作成して電子メールを送信することができる。
【００２６】
一方、携帯電話Ａによる電子メールの文章の作成及び電子メールの送信が終わった場合には、携帯電話Ａの一半部１と他半部２とを上記連結部３を中心にして画面11及びボタン21が内側となるように二つ折り状態に閉じる。
【００２７】
すると、上記帯状体５は、その長さ方向に展開した状態から上記指係止部材４の短軸体41の基端部を固着させている中央部から内方、即ち、連結部３から離間する方向に弛緩して山折れ状態に屈曲し、その中央部に固着させた上記指係止部材４の短軸体41を内方に向かって引っ張りながら、上記指係止部材４の短軸体41の大部分を山折れ状態となった帯状体５内に収納させると共に短軸体41の先端に固着した指係止片42が上記連結部３の外周面に当接し或いは近接した状態となって、上記指係止部材４がコンパクトに収納された状態となる。
【００２８】
このように、上記携帯電話の物品における開閉部の構造によると、上記携帯電話Ａの一半体１と他半体２とを互いに開放させるといった簡単な操作でもって上記指係止部材４を携帯電話Ａの外面から外方に突出させ、この突出させた指係止部材４によって携帯電話Ａを安定的に支持して電子メールの文章の作成及び電子メールの送信を円滑に行うことができると共に、上記携帯電話Ａの一半体１と他半体２とを互いに閉じるといった簡単な操作でもって上記指係止部材４を携帯電話Ａの連結部３側にコンパクトな状態に収納させ、携帯電話Ａを体裁良く携行することができる。なお、連結部３に対して内外方向に出没させる指係止部材４の移動長さは、帯状体５の長さや一半体１と他半体２との対向端部における取付位置によって所望長さとなるように設定できる。
【００２９】
次に、上記では物品を携帯電話とした場合を説明したが、携帯電話に限定されるものではなく、女性が化粧に用いる頬紅や口紅等を収納した収納ケースＢであってもよい。なお、上記携帯電話の物品における開閉部の構造と同一構造部分については同一符号を付してその説明を省略する。
【００３０】
即ち、収納ケースＢは、図５に示したように、頬紅や口紅等を収納した平面横長長方形状の収納体である他半体72と、この他半体72の上面を全面的に開閉自在に閉止可能で且つ内面に鏡711 が一体的に設けられた蓋体である一半体71との対向端部同士を連結部73を介して連結してなる。
【００３１】
上記収納ケースＢの連結部73には、上記携帯電話Ａと同様に、貫通孔731 が内外方向に貫通状態に貫設され、指係止部材４がその短軸体41を上記貫通孔731 内に内外方向（長さ方向）に移動可能に挿通されている一方、帯状体５が、一半体71と他半体72の内面に連結部73の貫通孔731 の内側開口部を跨いだ状態に配設、固定されてあり、この帯状体５における貫通孔731 の内側開口部に対向した中央部分には上記指係止部材４の短軸体41の基端が固定されている。
【００３２】
そして、上記収納ケースＢの一半体71と他半体72とを互いに開閉させると、上記携帯電話Ａと同様に、上記帯状体５が上記指係止部材４の短軸体41を固着させている長さ方向の中央部分から内方に弛緩して山折れ状に折り畳まれ或いは長さ方向に展開、拡張させられ、帯状体５の中央部分が連結部73から内外方向に接離し、帯状体５に固着されている短軸体41が内外方向に移動するように構成されている。
【００３３】
即ち、上記収納ケースＢの一半体71と他半体72とを互いに開放した状態とすると、上記指係止部材４の短軸体41が連結部73の外周面から外方に突出した状態となって、指係止部材４の指係止片42とこれに対向する連結部73との間に指を挿入可能な隙間が形成される一方、上記収納ケースＢの一半体71と他半体72とを互いに閉じた状態とすると、上記指係止部材４の短軸体41の大部分が、山折れ状態となった帯状体５内に収納されて指係止片42内面が連結部73の外周面に当接し或いは近接した状態となってコンパクトな状態に収納される。
【００３４】
なお、上記収納ケースＢは、その一半体71と他半体72とを連結部73を中心にして互いに開放させた状態では、上記指係止部材４が上記連結部73の外周面から外方に突出した状態となっており、外方に突出した指係止部材４を支持脚として、図６に示したように、収納ケースＢをその内面が後方における斜め上方に傾斜した状態に載置面に安定的に載置させることができる。
【００３５】
従って、上記収納ケースＢを手で支持することなく一半体71の鏡711 を使用者に指向した状態に載置面に載置することができ、収納ケースＢの使用勝手を向上させることができる。
【００３６】
又、物品として図７に示したような手帳であってもよい。なお、上記携帯電話の物品における開閉部の構造と同一構造部分については同一符号を付してその説明を省略する。
【００３７】
即ち、手帳Ｃのカバー部材C1は、図７に示したように、正面縦長長方形状の表台紙である一半体81と、この一半体81と同形、同大の正面縦長長方形状の裏台紙である他半体82との対向端部同士を小幅な帯状連結部83を介して連結してなる。上記手帳Ｃのカバー部材C1における連結部83には、上記携帯電話Ａと同様に、貫通孔831 が内外方向に貫通状態に貫設され、指係止部材４がその短軸体41を上記貫通孔831 内に内外方向（長さ方向）に移動可能に挿通されている一方、帯状体５が、一半体81と他半体82の内面に連結部83の貫通孔831 の内側開口部を跨いだ状態に配設、固定されてあり、この帯状体５における貫通孔831 の内側開口部に対向した部分には上記指係止部材４の短軸体41の基端が固定されている。
【００３８】
そして、上記手帳Ｃにおけるカバー部材C1の一半体81と他半体82とを互いに開閉させると、上記携帯電話Ａと同様に、上記帯状体５が上記指係止部材４の短軸体41を固着させている長さ方向の中央部分から内方に弛緩して山折れ状に折り畳まれ或いは長さ方向に展開、拡張されて、帯状体５の中央部分が連結部83から内外方向に接離し、帯状体５に固着させている短軸体５が内外方向に移動するように構成されている。
【００３９】
即ち、上記手帳Ｃのカバー部材C1における一半体81と他半体82とを互いに開放した状態とすると、上記指係止部材４の短軸体41が連結部83の外周面から外方に突出した状態となって、指係止部材４の指係止片42とこれに対向する連結部83との間に指を挿入可能な隙間が形成される一方、上記手帳Ｃのカバー部材C1における一半体81と他半体82とを互いに閉じた状態とすると、上記指係止部材４の短軸体41の大部分が、山折れ状態となった帯状体５内に収納されて指係止片42内面が連結部83の外周面に当接し或いは近接した状態となって上記指係止部材４がコンパクトな状態に収納される。
【００４０】
なお、上記帯状体５は、上記一半体81と上記他半体82とが連結部83を中心にして互いに開放し或いは閉じるのに連動して、その長さ方向の中央部分から内方に山折れし或いは長さ方向に展開、拡張することから、手帳Ｃのカバー部材C1の連結部83に配設された４個のリング部84、84・・・に取り付けられる各紙葉C2には、上記帯状体５に対応する部分に該帯状体５を逃がすための平面コ字状の凹部C21 が凹設されている。
【００４１】
更に、図８に示した構造を有する手帳Ｄであってもよい。なお、図７に示した手帳Ｃにおける開閉部の構造と同一構造部分については同一符号を付してその説明を省略する。
【００４２】
手帳Ｄのカバー部材D1は、図８及び図９に示したように、正面縦長長方形状の表台紙である一半体91と、この一半体91と同形、同大の正面縦長長方形状の裏台紙である他半体92との対向端部同士を小幅な帯状連結部93を介して連結してなる。上記カバー部材D1の連結部93には、上記携帯電話Ａと同様に、貫通孔931 が内外方向に貫通状態に貫設され、指係止部材４がその短軸体41を上記貫通孔931 内に内外方向（長さ方向）に移動可能に挿通されている一方、帯状体５が、一半体81と他半体82の内面に連結部93の貫通孔931 の内側開口部を跨いだ状態に配設、固定されてあり、この帯状体５における貫通孔931 の内側開口部に対向した部分には上記指係止部材４の短軸体41の基端が固定されている。
【００４３】
更に、上記カバー部材D1の内面には、一対の接続部材941 、942 を介在させた状態にメモ帳部D3を着脱自在に装着させるためのメモ帳部装着部材D2が一体的に設けられている。
【００４４】
即ち、上記メモ帳部装着部材D2は、上記カバー部材D1の一半体91よりも僅かに小さな正面縦長長方形状の一半装着部D21 と上記カバー部材D1の他半体92よりも僅かに小さな正面縦長長方形状の他半装着部D22 との対向端部同士を小幅な帯状連結部D23 を介して連結してなる。
【００４５】
なお、上記一半装着部D21 及び上記他半装着部D22 の自由端部内面の夫々には、上記メモ帳部装着部材D2の一半装着部D21 と同大、同形の複数枚の紙葉をその幅方向の一端において綴ってなるメモ帳部D3における最外部の紙葉D31 、D31 の自由端部を挿脱自在に装着させるための袋部D211、D221が一体的に設けられており、この袋部D211、D221内にメモ帳部D3における最外部の紙葉D31 、D31 の自由端部を挿脱自在に挿入して、上記メモ帳部装着部材D2にメモ帳部D3を着脱自在に装着させている。
【００４６】
そして、上記メモ帳部装着部材D2は、その一半装着部D21 をカバー部材D1の一半体91に、他半装着部D22 をカバー部材D1の他半体92に対向させ且つ内外方向に所定間隔を存して配設されていると共に、上記カバー部材D1の連結部93内面の両側に該連結部93に沿ってカバー部材D1の上下方向の全長に亘って配設された帯状接続部材941 、942 によって、上記カバー部材D1の一半体91と上記メモ帳部装着部材D2の一半装着部D21 との対向部同士及び上記カバー部材D1の他半体92と上記メモ帳部装着部材D2の他半装着部D22 との対向面同士が連結一体化されている。
【００４７】
又、上記カバー部材D1内面とこれに対向するメモ帳部装着部材D2外面と上記接続部材941 、942 とで囲まれた空間部には、上記カバー部材D1における一半体91と他半体92とを互いに閉止した際、内方に向かって山折れ、弛緩状態となった帯状体５を収納可能な空間部95が形成されている。
【００４８】
そして、上記手帳Ｄのカバー部材D1における一半体91と他半体92とを互いに開閉させると、上記携帯電話Ａと同様に、上記帯状体５が上記指係止部材４の短軸体41を固着させている長さ方向の中央部分から内方に弛緩して山折れ状に折り畳まれ或いは長さ方向に展開、拡張されて、帯状体５の中央部分が連結部93から内外方向に接離し、帯状体５に固着させている短軸体５が内外方向に移動するように構成されている。
【００４９】
即ち、上記手帳Ｄのカバー部材D1における一半体91と他半体92とを互いに開放した状態とすると、上記指係止部材４の短軸体41が連結部93の外周面から外方に突出した状態となって、指係止部材４の指係止片42とこれに対向する連結部93との間に指を挿入可能な隙間が形成される一方、上記手帳Ｄのカバー部材D1における一半体91と他半体92とを互いに閉じた状態とすると、上記指係止部材４の短軸体41の大部分が、山折れ状態となった帯状体５内に収納されて指係止片42内面が連結部93の外周面に当接し或いは近接した状態となって上記指係止部材４がコンパクトな状態に収納される
【００５０】
なお、上記手帳部D3と上記手帳部装着部材D2とを分離不能に一体化したものであってもよいし、又、上記手帳装着部材D2を配設することなく、上記手帳部D3の最外部の紙葉D31、D31 を接続部材941 、942 に直接、接続一体化させたものであってもよい。
【００５１】
最後に、物品として図１０に示したような本であってもよい。なお、上記手帳Ｄにおける開閉部の構造と同一構造部分については同一符号を付してその説明を省略する。
【００５２】
図８の手帳Ｄでは、カバー部材D1の内面に手帳部装着部材D2を配設していたが、図１０及び図１１に示した本D'では、上記手帳部装着部材D2を上記カバー部材D1の内面に配設することなく、本の表部外面D41 及び裏部外面D42 を接続部材941 、942 に直接、接続一体化させている。
【００５３】
又、図１２に示したように、カバー部材D1の連結部93の上端部には、一半体91と他半体92との対向端部における上端部間に回動自在に貫通させた中央軸部961
と、この中央軸部961 における一半体91及び他半体92の外面から外方に突出した両端から該中央軸部961 の軸芯に対して直角方向に突設された支持軸部962 、962 とからなる支持部材96が配設されており、この支持部材96は、その中央軸部961 を中心にして支持軸部962 が上下方向に回動自在に構成されている。
【００５４】
そして、上記支持部材96をその中央軸部961 を中心にして回動させ、支持部材96の支持軸部962 、962 を後方に向かって突出させた状態とすると、図１３に示したように、上記本D'をそのカバー部材93の連結部93外周面から外方に突出させた指係止部材４と上記支持部材96の支持軸部962 、962 とによって文章記載面が後方における斜め上方に傾斜した状態に載置面に安定的に載置させることができ、よって、上記本D'によれば、手で把持することなく文章記載面を読者の方に向けた状態に安定的に載置面に載置して快適に読書することができる。
【００５５】
【発明の効果】
請求項１に記載の携帯電話等の物品における開閉部の構造は、一半体と他半体との対向端部同士を開閉自在に連結してなる携帯電話等の物品において、一半体と他半体の連結部に指係止部材が備えられてあり、この指係止部材は、一半体と他半体とを互いに開放させた時に連結部の長さ方向に対して直交する方向に移動して指係止部材と連結部との間に指が挿入、係止可能な隙間を形成する一方、一半体と他半体とを互いに閉じた時に、その隙間を縮小させる方向に移動するように構成していることを特徴とするので、携帯電話等の物品の一半体と他半体とを互いに開放させ或いは閉じるといった簡単な操作でもって、指係止部材と連結部との間に指が挿入、係止可能な隙間を形成し或いはその隙間を縮小させる方向に指係止部材を移動させることができる。
【００５６】
従って、携帯電話等の物品を一半体と他半体とを互いに開放させた使用状態とすることによって、指係止部材と連結部との間に指が挿入、係止可能な隙間が自動的に形成され、この隙間に指を挿入、係止させることによって携帯電話等の物品を安定的に支持して物品を操作し使用することができる。
【００５７】
そして、携帯電話等の物品を使用しない時には、携帯電話等の物品を一半体と他半体とを互いに閉じた状態とすることによって、指係止部材を上記隙間を縮小させる方向に自動的に移動させることができ、指係止部材をコンパクトな状態に収納させ、携帯電話等の物品を軽快に携行することができる。
【００５８】
又、上記指係止部材は、短軸体の先端に小形板状の指係止片を固着してなり、短軸体を連結部の外側から該連結部を貫通して内側に突出させ、この突出端部を一半体と他半体の開閉に連動して内外方向に変位する帯状体に接続していることを特徴とするので、一半体と他半体の開閉に連動して内外方向に変位する帯状体によって、指係止部材の短軸体を連結部の長さ方向に対して直交する方向に確実に移動させることができる。
【００５９】
更に、上記帯状体は、一半体と他半体との連結部を跨いだ状態にして一端部を一半体に、他端部を他半体に固着されていることを特徴とするので、帯状体の内外方向の変位を一半体と他半体との開閉に確実に連動させることができ、一半体と他半体の開閉に連動させて、指係止部材の短軸体を連結部の長さ方向に対して直交する方向に確実に移動させることができる。
【図面の簡単な説明】
【図１】  本発明の携帯電話等の物品における開閉部の構造を備えた携帯電話を示した斜視図である。
【図２】  図１の携帯電話における一半体と他半体とを互いに閉止した状態を示した側面図である。
【図３】  図１の携帯電話における一半体と他半体とを互いに展開し開放した状態を示した側面図である。
【図４】  図１の携帯電話等の物品における開閉部の構造を示した断面図である。
【図５】  本発明の携帯電話等の物品における開閉部の構造を備えた収納ケースを示した斜視図である。
【図６】  図５の収納ケースの使用状態の一例を示した側面図である。
【図７】  本発明の携帯電話等の物品における開閉部の構造を備えた手帳を示した斜視図である。
【図８】  本発明の携帯電話等の物品における開閉部の構造を備えた手帳を示した分解斜視図である。
【図９】  図８の手帳を示した横断面図である。
【図１０】  本発明の携帯電話等の物品における開閉部の構造を備えた本を示した斜視図である。
【図１１】  図１０の本を示した横断面図である。
【図１２】  手帳のカバー部材の連結部に取り付けられた支持部材を示した斜視図である。
【図１３】  図１０の本の使用状態を示した側面図である。
【符号の説明】
１、71、81、91  一半体
２、72、82、92  他半体
３、73、83、93  連結部
31、731 、831 、931 貫通孔
941 、942   接続部材
４  指係止部材
41  短軸体
42  指係止片
５  帯状体
Ａ  携帯電話
Ｂ  収納ケース
Ｃ、Ｄ  手帳
D1  カバー部材
D2  手帳部装着部材
D3  手帳部
D'  本
【図１】
0003958983.tif 000002
【図２】
0003958983.tif 000003
【図３】
0003958983.tif 000004
【図４】
0003958983.tif 000005
【図５】
0003958983.tif 000006
【図６】
0003958983.tif 000007
【図７】
0003958983.tif 000008
【図８】
0003958983.tif 000009
【図９】
0003958983.tif 000010
【図１０】
0003958983.tif 000011
【図１１】
0003958983.tif 000012
【図１２】
0003958983.tif 000013
【図１３】
0003958983.tif 000014